(57)【要約】本発明は細長いハンドルと、その一端又は近傍に取付けられたカップとを具えるスローイング道具にあり、前記カップが、非球形のスローイング可能な物体を受け、前記ハンドルがスイングされて前記物体が前記カップから離れるまでこのような物体を保持するように形成されている。【選択図】  図１
2010504141.tif 000002
【特許請求の範囲】
【請求項１】
スローイング道具であって、細長いハンドルと、その一端又は近傍に取付けられたカップとを具え、当該カップが、非球形のスローイング可能な物体を受け、前記ハンドルがスイングされて前記物体が前記カップから離れるまでこのような物体を保持するように形成されることを特徴とするスローイング道具。
【請求項２】
請求項１に記載のスローイング道具において、前記カップが、先の尖った長円形の面の一部、楕円面、あるいは長球面となる内面を有することを特徴とするスローイング道具。
【請求項３】
請求項１に記載のスローイング道具において、前記カップがプラスチック材料で作られることを特徴とするスローイング道具。
【請求項４】
請求項１に記載のスローイング道具において、前記カップが各端部を開放していることを特徴とするスローイング道具。
【請求項５】
請求項１に記載のスローイング道具において、前記ハンドルが湾曲していることを特徴とするスローイング道具。
【請求項６】
請求項５に記載のスローイング道具において、取付位置での前記ハンドルの軸と、前記カップを離れてすぐの前記物体の移動方向との間の角度がほぼ直角であることを特徴とするスローイング道具。
【請求項７】
請求項１に記載のスローイング道具において、前記ハンドルがユーザの手の中で回転できることを特徴とするスローイング道具。
【請求項８】
非球形の物体をスローイングする方法が、請求項１乃至７のいずれか１項に記載のスローイング道具の前記ハンドルを把持するステップと、前記非球形の物体が前記ユーザの正面に対しある角度をなすように前記ハンドルを回転させるステップと、前記物体がカップを離れる時に前記物体にスピンが与えられるように、ほぼ前方に前記ハンドルをスイングするステップと、を具えることを特徴とする方法。
【発明の詳細な説明】
【技術分野】
【０００１】
本発明はスローイング道具、特に手動動作するスローイング道具に関する。
【０００２】
本明細書の記載の詳細な説明及び請求項全体において、「具える（ｃｏｍｐｒｉｓｅ）」という単語及び「具える（ｃｏｍｐｒｉｓｅｓ）」や「具えている（ｃｏｍｐｒｉｓｉｎｇ）」のような、その単語の変化形は他の付加物、構成要素、完全体あるいはステップを排除することを意図していない。
【背景技術】
【０００３】
スローイング可能な物体を相応な距離投げることは、ゲーム、娯楽、遊びあるいはスポーツ競技でしばしば所望される。物体が非球形体の場合、例えばスローイング可能な物体を飛行中にスピンさせることによって距離を得る特定の方法では、スローイングする物体を把持することが必要であるが、スローイングの困難性が増大する。
【０００４】
従って、一部のボールのような非球形の物体を最大距離スローイングするのを可能にする手段に対するニーズが存在している。
【発明の概要】
【発明が解決しようとする課題】
【０００５】
従って、簡単だが有効な方法で前述の必要性に合致する方向に少なくとも行き、あるいは、有用な選択を公衆に少なくとも提供するスローイング道具及び／又はスローイングの方法を提供することが、この個人発明の目的である。
【課題を解決するための手段】
【０００６】
従って一態様においては、本発明は細長いハンドルと、その一端又は近傍に取付けられたカップとを具えるスローイング道具にあり、前記カップが、非球形のスローイング可能な物体を受け、前記ハンドルがスイングされて前記物体が前記カップから離れるまでこのような物体を保持するように形成されている。
【０００７】
好ましくは、前記カップは、先の尖った長円形の面の一部、楕円面、あるいは長球面となる内表面を有している。
【０００８】
好ましくは、前記カップはプラスチック材料で作られている。
【０００９】
好ましくは、前記カップは各末端で開放している。
【００１０】
好ましくは、前記ハンドルが湾曲している。
【００１１】
好ましくは、取付位置での前記ハンドルの軸と、前記カップを離れてすぐの前記物体の移動方向との間の角度はほぼ直角である。
【００１２】
好ましくは、前記ハンドルがユーザの手の中で回転できる。
【００１３】
更なる態様においては、本発明は、前段落のいずれか１つに記載のスローイング道具の前記ハンドルを把持するステップと、前記非球形の物体が前記ユーザの正面に対しある角度をなすように前記ハンドルを回転させるステップと、前記物体がカップを離れる時に前記物体にスピンが与えられるように、ほぼ前方に前記ハンドルをスイングするステップとを具える非球形の物体をスローイングする方法である。
【００１４】
本発明が関連する当該技術分野の当業者にとって、構成における多くの変更及び本発明の広範に異なる実施例及びアプリケーションは、添付の請求項に規定されるような本発明の範囲から離れることなく提案される。この開示及び記載は単なる例示的なものであり、いかなる意味制限の中にあることも意図していない。
【図面の簡単な説明】
【００１５】
１の本発明の好ましい形態は、添付の図を引用して説明される。
【００１６】
【図１】図１は、１の本発明の好ましい形態によるスローイング道具の側面図である。
【図２】図２は、図１のスローイング道具の背面図である。
【図３】図３は、本発明の好ましい形態によるスローイング道具のカップ形成部分を通る横断断面図である。
【発明を実施するための形態】
【００１７】
図によると、スローイング道具１が提供され、細長いハンドル２とそこに取付けられたカップ３を有している。
【００１８】
細長いハンドル２はどちらかというと硬質プラスチック材料で作られるが、好ましくはある程度のフレキシビリティを有し、その長さに沿って湾曲している。
【００１９】
長さは例えばほぼ５０ｃｍのような所望の長さにできる。湾曲は一定比率で与えられ、所望する場合には他の形態で形成できる。形状の目的は本質的に、カップの開口部４が実質的に正面に位置するときに、道具がユーザの手にほぼ垂直にハンドルで保持されるのを可能にすることである。この目的のために、ハンドル２のカップ３への取付部５の位置での角度は、その位置でのハンドルの長軸が、カップ３に保持される物体が使用中にカップから出る方向と実質的に直角になるように所望される。
【００２０】
カップ３は好ましい形態においては、図４に示したような開放端を有し、非球形物体を受けるように適用されている。好ましい形態においては、カップ３の内面はアメリカンフットボールで用いられるボールの形状である先の尖った長円形の２の部分で作られている。よって、例えば、アメリカンフットボールの完全形又は小型バージョンの非球形物体６をカップ３内に受けることができる。カップ３の開口部４はボール６の一部分をそこから突出させている。カップ３の形状は任意のスローイング活動が起こる前に、ボール６がそこに堅く保持されるようにする。楕円面又は長球面のような他の形状も用いられうる。カップはボールの中央周径の５０％以上に延在する。カップ３に保持される外周の正確な範囲は経験的に決定され、カップ３のフレキシビリティに依存している。
【００２１】
カップ３は、適所にボールを保持するのに十分な堅さであり、有意な前方への力が、例えばユーザの腕でハンドルをスイングすることによって、ハンドルに印加されたとき、スローイング道具が速度を緩める際にカップ３の部分１０及び１１の外部モーメントにより、及び／又は、ボールの歪みにより、カップからボールが要求できるようなボールの運動量になるプラスチック材料で作られる。カップの内面は好ましくはスローイングされるべきボールの実質的に正確な相補的な鋳型である。
【００２２】
後縁内向加工部分１４（使用中）は後縁部のボールのスピンを使用中に開始するのを可能にしている。後縁加工部分１４はボールがカップ３を離れる場合に、ボールを回転させるのを可能にする。スローイング道具が左利き用あるいは右利き用で常に使用されている場合、加工部分１４はカップ３の後縁上にのみ提供される必要がある。
【００２３】
ハンドル２は例えば、カップ３から延在する差込部１６を提供することによってカップ３に取付けられ、差込部１６が固定されるハンドル内の長軸方向のくぼみに接合できる。ハンドルは接着剤、溶接等によるといった適した方法で固定できる。代替的に、ハンドルとカップは１ピースで生成しても良い。
【００２４】
必要に応じて、ハンドル２とカップ３は例えば、カップ３上のリブ２１及びその自由端方向のハンドル２上のリブ２２によって補強される。
【００２５】
切込部２５及び２６はユーザの四指や親指によって使用中にはめ込むことができるハンドルのグリップ部分で提供できる。これはユーザの手の中でのハンドル２の回転を支援する。
【００２６】
更に所望の場合は、ハンドルの自由端２０は中空にでき、出入口、フラグ又は他の閉鎖物２８でカバーされ、例えば、プラスチックバッグ、車のキー又はその他のアイテムのために、保管領域を提供できる。
【００２７】
使用中に、アメリカンフットボールのような非球形の物体は、カップ３に配置される。ハンドルは、引き戻されて前にスイングされるカップ３の中央、例えば末端２０で把持される。スイングの最後に、ここに既述したようにカップ３の末端１０からボールは進んでいく。
【００２８】
好ましい形態においては、ハンドルは末端２０で一部を球形又は楕円形になるように形成され、必要に応じてハンドルがユーザの手の中で回転するようにできる。例えばテニスラケットのハンドルに似た形状のようなものを得ることを可能にする任意の形状を更に用いることができる。このことによりハンドルが前方へのスイングの前にユーザの手の中で回転させることを可能にする。
【００２９】
この効果はボールがカップ３に存在する場合に、カップの末端１０が人がボールをスローイングする指のように作用しようとすることであり、ボールにスピンを与えている。このスピンによって、スローイング行為が大きなボールの距離を得るのを可能にする。上述の形態でのハンドルは、左利き及び右利きのユーザの双方により用いられうる。カップ３及びハンドルはボールの左又は右手でのスローイングをシミュレートし、実質的に一定の放出及びスピンを与えている。
【００３０】
従って、少なくとも本発明の好ましい形態においては、フットボールのような非球形の物体又は他の非球形のフットボールの小型バージョンが簡単だが有効な方法で顕著な距離スローイングされるのを可能にするスローイング道具が提供されていることが分かるであろう。
【００３１】
これは有用である。
【図１】
2010504141.tif 000003
【図２】
2010504141.tif 000004
【図３】
2010504141.tif 000005
【国際調査報告】
2010504141.tif 000006
2010504141.tif 000007
2010504141.tif 000008